(57)【特許請求の範囲】
【請求項１】
複数層の濾材が収容された筒状をなす浄水器本体に給水口と吐水口とを設け、給水口から浄水器本体内へ供給された水を濾材を介して吐水口から吐水するように構成するとともに、前記複数層の各濾材間には濾材同士を仕切るための仕切りプレートを介装し、その仕切りプレートのうち少なくとも一つには磁石を位置決めして保持する位置決め部を設け、かつ各仕切りプレートには仕切りプレートの傾斜又は転回を防止するための傾斜転回防止部を設け、前記傾斜転回防止部は、前記仕切りプレートの外周縁全体にわたって突出形成させた板材であって、該板材は、Ｖ字状の切込みが複数形成され、仕切りプレートの外周縁から上方へ向かうほど拡径するテーパ状をなしている浄水器の濾材仕切り構造。
【請求項２】
前記磁石をリング状に形成し、その中心の開口が水の流通方向に沿うように配設した請求項１に記載の浄水器の濾材仕切り構造。
【請求項３】
前記磁石に水の流通方向に沿って延びる複数の貫通孔を均等に設けた請求項１に記載の浄水器の濾材仕切り構造。
【発明の詳細な説明】
【０００１】
【発明の属する技術分野】
この発明は、水道水等の浄化に使用する浄水器において、積層して形成された濾材を仕切るための浄水器の濾材仕切り構造に関するものである。
【０００２】
【従来の技術】
磁気により水質を改善する装置としては、例えば登録実用新案第３００３２７５号公報に開示された水処理装置が知られている。
【０００３】
この水処理装置においては、筒状のハウジング内に濾材が層状に収容されている。この各濾材間にはプレートが介装され、濾材同士を仕切るようになっている。また、濾材を仕切るプレートのうちのいくつかには上面に収納孔が設けられており、この収納孔に磁石が収納保持されている。
【０００４】
そして、原水は上方にある濾材から順に接触しながら浄化されるとともに、磁石によって形成された磁場を通ることにより磁気処理されるようになっている。
【０００５】
【発明が解決しようとする課題】
ところが、この従来構成においては、板状のプレートによって濾材が仕切られているため、運搬時や使用時に浄水器が横転し、さらに振動が加わるなどして濾材に偏りが生じると、プレートが偏荷重を受けて傾斜したり転回したりするおそれがある。従って、濾材が偏った状態で固定されたり、異なる種類の濾材が混合したりして浄水機能が低下するとともに、磁石がずれて磁気処理機能が低下するという問題があった。
【０００６】
この発明は、上記のような従来技術に存在する問題点に着目してなされたものである。その目的とするところは、濾材が混合したり偏ったりして浄水機能が低下するのを防止するとともに、磁石がずれて磁気処理機能が低下するのを防止することができる浄水器の濾材仕切り構造を提供することにある。
【０００７】
【課題を解決するための手段】
上記の目的を達成するために、請求項１に記載の発明の浄水器の濾材仕切り構造は、複数層の濾材が収容された筒状をなす浄水器本体に給水口と吐水口とを設け、給水口から浄水器本体内へ供給された水を濾材を介して吐水口から吐水するように構成するとともに、前記複数層の各濾材間には濾材同士を仕切るための仕切りプレートを介装し、その仕切りプレートのうち少なくとも一つには磁石を位置決めして保持する位置決め部を設け、かつ各仕切りプレートには仕切りプレートの傾斜又は転回を防止するための傾斜転回防止部を設け、前記傾斜転回防止部は、前記仕切りプレートの外周縁全体にわたって突出形成させた板材であって、該板材は、Ｖ字状の切込みが複数形成され、仕切りプレートの外周縁から上方へ向かうほど拡径するテーパ状をなしているものである。
【０００８】
請求項２に記載の発明の浄水器の濾材仕切り構造は、請求項１に記載の発明において、前記磁石をリング状に形成し、その中心の開口が水の流通方向に沿うように配設したものである。
【０００９】
請求項３に記載の発明の浄水器の濾材仕切り構造は、請求項１に記載の発明において、前記磁石に水の流通方向に沿って延びる複数の貫通孔を均等に設けたものである。
【００１１】
【発明の実施の形態】
以下、この発明の実施形態を図１〜図３に従って説明する。
図２に示すように、浄水器１１は基台１２と、その基台１２上に着脱可能に取り付けられたカバー１３とを備え、そのカバー１３に被覆されるように浄水器本体１４が基台１２の上部に配置されている。図１に示すように、浄水器本体１４は円筒状をなし、合成樹脂により上部がわずかに開くテーパ状に形成されている。これは、成形時に成形金型から抜きやすくするために抜き勾配を設けて形成されるためである。また、浄水器本体１４の上下両端には、上蓋１５と下蓋１６がそれぞれシール材１７を介装して着脱可能に螺着されている。上蓋１５と下蓋１６の中央には、浄水器本体１４内に原水を供給するための給水口１８と、浄水器本体１４内から浄水を吐水するための吐水口１９がそれぞれ設けられている。
【００１２】
図２に示すように、給水口１８と吐水口１９には、それぞれ給水ホース２０と吐水ホース２１がジョイント２２を介して着脱可能に接続されている。また、この給水ホース２０と吐水ホース２１の先端は、図示しない水道蛇口に装着された切替コック２３に連結されている。そして、切替コック２３に備えられたレバー２３ａを操作することにより、水道蛇口から供給される原水をそのまま吐出したり、あるいは浄水器１１内に供給したりと水の流路を切替えることができるようになっている。
【００１３】
図１に示すように、浄水器本体１４の内部には、濾材２４が所定の順序に積層されて収容されている。これら各濾材２４は原水を浄水に浄化する働き、即ち、原水中の不純物を取り除く働き、あるいは各種成分を添加するなどして原水に機能性を付与する働きなどを有している。そして、給水口１８を通って浄水器本体１４内に供給された原水は、浄水器本体１４内を下降しながら上方にある濾材２４から順に接触して浄化されるようになっている。
【００１４】
また、前記各濾材２４間にはそれぞれ仕切りプレート２５が介装され、濾材２４同士を仕切るようになっている。さらに、浄水器本体１４内の上部及び下部には、積層形成された濾材２４を挟むように底板２６とメッシュフランジ２７がそれぞれ端部側から順に収容されている。このメッシュフランジ２７は円板状をなし、その外周縁において浄水器本体１４の端部と上蓋１５又は下蓋１６との間に挟持されて固定されている。
【００１５】
前記各濾材２４は、例えば活性炭、不織布、セラミックス、天然石、薬石、コーラル（coral）等から選ばれた一種又は複数種によって構成されている。そして、これらの濾材２４を任意に組み合わせ、所定の順序に積層することにより、いわゆる浄活水器として機能することができる。
【００１６】
本実施形態においては濾材２４は６層に形成され、上から順にＳＰＧサンドからなる層、椰子殻粒状活性炭からなる層、ＳＰＧサンドからなる層、泰澄石からなる層、磁鉄鉱石とセラミックボールの混合物からなる層、麦飯石からなる層となっている。
【００１７】
前記ＳＰＧサンドは砂の一種であり、多孔質で比表面積が大きく、また連続気孔を多く有するという特徴を備えている。このため、ＳＰＧサンドを濾材２４として使用した場合には、原水中の不純物、特に砂、ごみ、鉄錆等を吸着して除去できるとともに、透水性を向上させることができる。
【００１８】
前記椰子殻粒状活性炭を濾材２４として使用した場合には、その無数の微細孔により原水中の不純物、特にトリハロメタン、農薬、重金属等を吸着除去するとともに、残留塩素を分解除去してカルキ臭を消すことができる。
【００１９】
前記泰澄石は火成岩の一種であり、濾材２４として使用した場合には、溶存酸素の増加、ミネラル成分の付加、有害菌の不活性化、ｐＨの調整、農薬や有機物等の分解無害化、水分子の構造化等の効果を奏することができる。
【００２０】
前記磁鉄鉱石の場合には、その強い磁性により原水中の重金属の除去、水分子の構造化等の効果を奏することができる。
前記セラミックボールは粒状のセラミックスであり、原水中の不純物を吸着除去したり、酸化還元作用により消臭したりすることができる。また、遠赤外線照射により水質の劣化を防止することができる。
【００２１】
前記麦飯石は石英斑石に分類される火成岩の一種であり、濾材２４として使用した場合には、溶存酸素の増加、ミネラル成分の付加、重金属や残留塩素等の不純物の吸着、ｐＨの調整、遠赤外線効果等の効果を奏することができる。
【００２２】
また、複数層からなる濾材２４のうち、少なくとも一つの層にはリング状の磁石２８が配設されている。本実施形態においては、６層からなる濾材２４のうち、最上段のＳＰＧサンドからなる層、泰澄石からなる層及び磁鉄鉱石とセラミックボールの混合物からなる層の３層に磁石２８が配設されている。そして、この磁石２８により原水中の鉄錆が吸着除去されるとともに、この磁石２８によって形成された磁場を通ることによって原水は磁気処理されるようになっている。
【００２３】
図３に示すように、前記仕切りプレート２５は円板状に形成され、水が通過できるように多数の小孔２９が貫通形成されてメッシュ状をなしている。この仕切りプレート２５は、複数層をなす濾材２４間に介装されて使用されるため、一体の浄水器に対して複数枚用いられるが、その外径は全て、内径が最小となる浄水器本体１４の下部の内径とほぼ同一に設定されている。
【００２４】
また、一部の仕切りプレート２５には、その外周縁全体にわたって傾斜転回防止部としての板材３０が突出形成されている。この板材３０は、Ｖ字状の切込み３１によって形成された複数の分割片３０ａで構成され、仕切りプレート２５と一体的に形成されている。また、板材３０は、仕切りプレート２５の外周縁から斜め上方に延設されて上方へ向かうほど拡径するテーパ状をなしている。さらに、板材３０は、基端部において内方へ曲げができるように所定の弾性を有している。そして、浄水器本体１４内に収容したときに、板材３０が浄水器本体１４の周壁内面に当接して押圧されることにより、仕切りプレート２５は上下方向への移動が規制されるようになっている。
【００２５】
さらに、一部の仕切りプレート２５の上面中央には、位置決め部としての凸部３２が形成されている。この凸部３２は、前記リング状の磁石２８の中心にある開口に対応して円形状に形成され、この凸部３２に磁石２８を嵌合させることによって磁石２８を仕切りプレート２５に位置決めして保持できるようになっている。
【００２６】
また、図１に示すように、傾斜転回防止部としての筒体３３は円筒状をなし、浄水器本体１４内に収容可能に形成されている。筒体３３は、浄水器本体１４内の下部のメッシュフランジ２７とその上方に位置する仕切りプレート２５の間に介装され、その上下両端が仕切りプレート２５の下面とメッシュフランジ２７の上面とにそれぞれ当接して支持されている。そして、その上端において当接する仕切りプレート２５が下方へ移動するのを規制するとともに、下端において当接するメッシュフランジ２７が上方へ移動するのを規制するようになっている。
【００２７】
さて、浄水器本体１４内に濾材２４を収容する場合には、濾材２４と仕切りプレート２５が交互に装入され、その結果、各濾材２４間には濾材２４同士を仕切るように仕切りプレート２５が介装される。なお、仕切りプレート２５を装入するときには、その仕切りプレート２５の板材３０が浄水器本体１４の周壁内面に当接して縮径されるため、板材３０は浄水器本体１４の周壁内面に押圧された状態となる。このため、仕切りプレート２５は上下方向への移動を規制され、仕切りプレート２５の傾斜又は転回が防止される。
【００２８】
以上のように、この実施形態によれば次のような効果が発揮される。
・  仕切りプレート２５の外周縁には板材３０が形成され、この板材３０が浄水器本体１４の周壁内面に押圧されることにより、仕切りプレート２５の傾斜又は転回が防止されるようになっている。このため、濾材２４が混合したり偏ったりして浄水機能が低下するのを防止するとともに、磁石２８がずれて磁気処理機能が低下するのを防止することができる。
【００２９】
・  磁石２８はリング状に形成され、その中心の開口が水の流通方向に沿うように配設されているため、浄水器本体１４内を流通する水に対してその流れを遮ることなく磁気処理を行うことができる。
【００３０】
・  仕切りプレート２５の上面には凸部３２が形成され、磁石２８はその凸部３２に嵌合することにより仕切りプレート２５に位置決め保持されている。このため、磁石２８のずれを確実に防止することができる。
【００３１】
・  仕切りプレート２５の板材３０は、浄水器本体１４の周壁内面に押圧されるように上方へ向かうほど拡径するテーパ状に形成されている。このため、仕切りプレート２５の傾斜又は転回を確実に防止することができ、濾材２４が混合したり偏ったりして浄水機能が低下するのを確実に防止するとともに、磁石２８がずれて磁気処理機能が低下するのを確実に防止することができる。
【００３２】
・  板材３０は仕切りプレート２５の外周縁全体にわたって形成されている。このため、浄水器本体１４が横転するなどして仕切りプレート２５に偏荷重が加わったときに、その偏荷重の加わる位置に関わらず、等しく仕切りプレート２５の傾斜又は転回を防止することができる。
【００３３】
・  浄水器本体１４内の下部のメッシュフランジ２７と最下段の仕切りプレート２５との間には筒体３３が配設され、メッシュフランジ２７が上方へ移動するのを規制するとともに、仕切りプレート２５が下方へ移動するのを規制するようになっている。このため、濾材２４の混合や偏り、磁石２８のずれをより確実に防止することができる。
【００３４】
・  板材３０が仕切りプレート２５と一体的に形成されているため、構成が簡単であり、製造が容易である。
・  仕切りプレート２５の板材３０はテーパ状に形成されるとともに、弾性を有するように形成されている。そして、浄水器本体１４の周壁内面により縮径した状態で浄水器本体１４内に挿入されている。このため、浄水器本体１４の上下両端で内径に差があるような場合でも、最も小さい内径に仕切りプレート２５の外径を設定することにより、ある程度までは統一した規格の仕切りプレート２５で対応することができる。従って、浄水器本体１４内での位置に合わせて外径の異なる複数種の仕切りプレート２５を用意する必要がなく、製造コストの節減を図ることができる。
【００３５】
なお、前記実施形態を次のように変更して構成することもできる。
・  図４に示すように、磁石２８を位置決めして保持する位置決め部として、実施形態の凸部３２に代えて磁石２８の外周縁に係合する円環状の凸条３４を設けること。または、リング状の磁石２８の内周縁に係合する円環状の凸条に変更したり、磁石２８の外周縁に係合する円形の収容孔に変更したりすること。このように構成した場合でも実施形態と同様の効果を奏することができる。
【００３６】
・  図５に示すように、磁石２８に水の流通方向に沿って延びる複数の貫通孔３５を均等に設けること。また、それとともに、位置決め部として実施形態の凸部３２に代えて、その貫通孔３５のうちの一部に係合する突起３６、又は磁石２８の外周縁に係合する円環状の凸条や円形の収容孔等を形成すること。このように構成した場合、浄水器本体１４内を流通する水に対してその流れを遮ることなく、ほぼ均一に磁気処理を行うことができる。
【００３７】
・  図６に示すように、仕切りプレート２５の傾斜又は転回を防止するための傾斜転回防止部として、実施形態の板材３０に代えて棒材３７を仕切りプレート２５の外周縁に所定間隔をおいて設けること。または、板材３０を仕切りプレート２５の外周縁に所定間隔をおいて設けるように変更すること。このように構成した場合でも、実施形態と同様の効果を奏することができるほか、材料の節約を図ることができる。尚、図６の構成は参考例とする。
【００３８】
・  図７に示すように、全ての仕切りプレート２５を、板材３０を省略して円板状に形成すること。そして、各仕切りプレート２５間及び仕切りプレート２５とメッシュフランジ２７との間に筒体３３を介装させること。このように構成した場合、各仕切りプレート２５はその上下に位置する筒体３３によって上下方向への移動が規制され、傾斜又は転回が防止される。このため、濾材２４が混合したり偏ったりして浄水機能が低下するのを防止するとともに、磁石２８がずれて磁気処理機能が低下するのを防止することができる。尚、図７の構成は参考例とする。
【００３９】
・  全ての仕切りプレート２５を、板材３０及び凸部３２を備えた同一のものとすること。このように構成した場合、一種類の仕切りプレート２５で全てまかなうことができる。
【００４０】
・  一枚の仕切りプレート２５上に複数個の磁石２８を均等に配設し、位置決め部によりこれらの磁石２８を仕切りプレート２５上に位置決め保持するように構成すること。このように構成した場合、浄水器本体１４内を流通する水に対してその流れを遮ることなく、ほぼ均一に磁気処理を行うことができる。
【００４１】
次に、前記実施形態から把握できる技術的思想について以下に記載する。
・  前記傾斜転回防止部は板材であり、その板材は浄水器本体の周壁内面に押圧されるようにテーパ状に形成したものである前記浄水器の濾材仕切り構造。
【００４２】
このように構成した場合、仕切りプレートの傾斜又は転回を確実に防止することができ、濾材が混合したり偏ったりして浄水機能が低下するのを確実に防止することができる。
【００４３】
・  前記傾斜転回防止部は仕切りプレートの外周縁全体又は所定間隔をおいて複数設け、かつ仕切りプレートと一体的に形成したものである前記浄水器の濾材仕切り構造。
【００４４】
このように構成した場合、浄水器本体が横転するなどして仕切りプレートに偏荷重が加わったときに、その偏荷重が加わる位置に関わらず、等しく仕切りプレートの傾斜又は転回を防止することができる。また、傾斜転回防止部が仕切りプレートと一体に形成されているため、構成が簡単であり、製造が容易である。
【００４５】
・  前記傾斜転回防止部は筒体であり、その筒体の両端部が相対する二枚の仕切りプレートによって支持されるように構成した前記浄水器の濾材仕切り構造。
【００４６】
このように構成した場合、仕切りプレートの傾斜又は転回を確実に防止することができ、浄水機能及び磁気処理機能の低下を確実に防止することができる。
【００４７】
【発明の効果】
この発明は、以上のように構成されているため、次のような効果を奏する。
請求項１に記載の発明の浄水器の濾材仕切り構造によれば、濾材が混合したり偏ったりして浄水機能が低下するのを防止するとともに、磁石がずれて磁気処理機能が低下するのを防止することができる。
【００４８】
請求項２に記載の発明の浄水器の濾材仕切り構造によれば、請求項１に記載の発明の効果に加え、浄水器本体内を流通する水に対してその流れを遮ることなく磁気処理を行うことができる。
【００４９】
請求項３に記載の発明の浄水器の濾材仕切り構造によれば、請求項１に記載の発明の効果に加え、浄水器本体内を流通する水に対してその流れを遮ることなく、ほぼ均一に磁気処理を行うことができる。
【図面の簡単な説明】
【図１】  この発明の浄水器の濾材仕切り構造の一実施形態を示す断面図。
【図２】  浄水器の全体の構造を示す一部破断正面図。
【図３】  仕切りプレートと磁石を示す分解斜視図。
【図４】  仕切りプレートの位置決め部の別例を示す分解斜視図。
【図５】  磁石に複数の貫通孔を均等に設けた別例を示す分解斜視図。
【図６】  棒材を外周縁に設けた仕切りプレートの別例を示す斜視図。
【図７】  筒体を各仕切りプレート間に介装した別例を示す断面図。
【符号の説明】
１１…浄水器、１４…浄水器本体、１８…給水口、１９…吐水口、２４…濾材、２５…仕切りプレート、２８…磁石、３０…傾斜転回防止部としての板材、３２…位置決め部としての凸部、３３…傾斜転回防止部としての筒体、３５…貫通孔。
【図１】
0004137284.tif 000002
【図２】
0004137284.tif 000003
【図３】
0004137284.tif 000004
【図４】
0004137284.tif 000005
【図５】
0004137284.tif 000006
【図６】
0004137284.tif 000007
【図７】
0004137284.tif 000008